(57)【要約】【課題】大型のゴルフクラブヘッド（容積が３２０ｃｃ以上）で、予めフェースがフック方向１．５度以上に設定されたものにおいて、構えた際に違和感がなく普段行なっているスタイルで打球が行なえる構成のゴルフクラブヘッドを提供する。【解決手段】本発明のゴルフクラブヘッドは、容積が３２０ｃｃ以上、フェース角がフック１．５度以上に設定されたものにおいて、スコアライン角度を７度以上にしたことを特徴とする。【選択図】　　図２
2004049802.tif 000002
【特許請求の範囲】
【請求項１】
容積が３２０ｃｃ以上、フェース角がフック１．５度以上のゴルフクラブヘッドにおいて、スコアライン角度が７度以上であることを特徴とするゴルフクラブヘッド。
【請求項２】
フェースとトップとの間のエッジの頂部がフェースのトウ・ヒール方向におけるフェース中央位置より、５ｍｍ以上トウ側に形成されていることを特徴とする請求項１に記載のゴルフクラブヘッド。
【発明の詳細な説明】
【０００１】
【発明の属する技術分野】
本発明は、容積が３２０ｃｃ以上のゴルフクラブヘッドに関する。
【０００２】
【従来の技術】
ゴルフクラブヘッドは、慣性モーメントを高め、打球方向の安定性を向上させるために大型化しつつあり、近年のゴルフクラブヘッド（特にメタルウッド）では、３２０ｃｃ以上のものが普通に使用されるようになっている。このような大型化したヘッドは、スイートスポットを外して打球した場合でも、打球時にヘッドがぶれ難く、方向性が安定するものの、ヘッドが大きくなった分、重心距離（重心からシャフト軸に下ろした垂線の距離）は長くなる（３４ｍｍ以上）。
【０００３】
一般的に、重心距離が長くなると、スイング中においてヘッドを返すのに力が必要となり、充分にヘッドが返らないと、フェースが開いた状態で打球してしまうことからスライス方向の打球が多くなってしまう。このため、最近では、３２０ｃｃ以上としたゴルフクラブヘッドにおいて、フェースを予めフック方向に向けた、いわゆるフックフェースのゴルフクラブが登場している。
【０００４】
【発明が解決しようとする課題】
このようなゴルフクラブは、打球時に充分にヘッドが返らなくても、ストレートフェースで打球が行なえるようになり、ターゲット方向に対して打球がぶれない、という効果が得られるものの、構えたときにフック方向にミスショットしそうな不安にかられたり、また、構えたときの違和感（アドレス時にフェースがフック方向に向いている）を解消すべく、無理にフェースを正面に向けて構えると、右利きの場合、グリップ位置が左に移行して、普段行なっているようなスタイルで打球し難くなって、思い通りの打球が打てないという問題が生じる。
【０００５】
このような予めフェースをフック方向に向けたヘッドを有するゴルフクラブにおいて、上記したような問題が生じるフェース角を調べたところ、フック方向に１．５度（＋１．５度）以上傾いていると、大抵のゴルファーは、違和感が生じ打球し難くなることが分かった。
【０００６】
そこで、本発明は、大型のゴルフクラブヘッド（容積が３２０ｃｃ以上）で、予めフェースがフック方向１．５度以上に設定されたものにおいて、構えた際に違和感がなく普段行なっているスタイルで打球が行なえる構成のゴルフクラブヘッドを提供することを目的とする。
【０００７】
【課題を解決するための手段】
本発明者らは、フェースがフック系に形成されているゴルフクラブヘッドにおいては、所定のライ角をもってアドレスした際、目視できるスコアラインがトウ・ヒール方向に沿って略水平に形成された従来のものより、スコアラインをある程度トウ側が上昇するように傾斜させることで、見た目上、フェースの向きが正面を向くような感覚が得られるようになることを見出し、本発明を着想するに至った。すなわち、上記した目的を達成するために、本発明は、容積が３２０ｃｃ以上、フェース角がフック１．５度以上のゴルフクラブヘッドにおいて、スコアライン角度を７度以上としたことを特徴とする。
【０００８】
なお、上記した構成において、フェース角は、図１に示すように、ゴルフクラブヘッド１に装着されるシャフト３の軸線Ｘに対して、フェース１ａの向きがフック系の場合（＋）の角度で、スライス系の場合（−）の角度によって規定される。すなわち、図において、フェース１ａは、ターゲット方向Ｔに対して直交する向きに設定されたストレートフェースを示しており、θ１の角度に設定されているフェース１ａ´はフック系、θ２の角度に設定されているフェース１ａ´´はスライス系であり、それぞれのフェースの直交方向はＴ１，Ｔ２となってフックフェース、スライスフェースとなる。この場合、本発明においては、アドレスした際にθ１が１．５度以上にフックフェース１ａ´となるゴルフクラブヘッドが対象となる。
【０００９】
また、上記した構成において、スコアライン角度は、図２に示すように、ゴルフクラブを設置面Ｐに対して所定のライ角で構えた際、設置面Ｐとフェース１ａに形成されたスコアライン５との間の角度をθ３を意味する。すなわち、スコアライン角度が大きくなれば、ヒール側からトウ側に向けて上方への傾斜角度が大きくなる。
【００１０】
上記した構成によれば、フェースがフック系に設定されていることから、アドレスした際に、フェース面がやや内側を向く状態となる。このような状態において、スコアラインが、全体としてヒール側からトウ側に向けて上方に傾斜していると、アドレスして上方からフェース面を見た際に、フェース面がスクエア状態に見えるようになる。すなわち、フェース角度がフック系の場合、スコアラインをヒール側からトウ側に向けて上方に傾斜させることで、アドレスした際、実際にはフェースはフック方向に向いているものの、見た目上、フェースの向きが正面を向くような感覚が得られるようになる。
【００１１】
【発明の実施の形態】
上記したように、フェースがフック系の場合、スコアライン角度を大きく形成することで、見た目上、フェースの向きが正面を向くような感覚が得られるようになるが、ここでは、その好ましいスコアライン角度を、多数の被験者の評価によって特定することとした。
【００１２】
具体的には、ハンディキャップ１８以下の上級アマチュアゴルファー５０人を被験者とし、各人に通常のアドレスをしてもらい、フェースの見え方について調査を行なった。そして、フェースが概ねストレートに見える人と、フックに見える人の数を調べ、概ねストレートに見える人の数がフックに見える人を上回ったときに、「効果が得られるスコアライン角度」と評価した。
【００１３】
また、実験に際して用いられるゴルフクラブは、シャフト長さ４５インチ、ライ角５８．５度、ヘッド容積３２０ｃｃ、フェースはフック１．５度に設定し、更に、アドレスした際、フェース部分が見易いように、ロフト（リアルロフト）を１０．５度、スコアラインの色を白、その幅を０．６ｍｍ、フェース面をサテン仕上げ（銀色）とし、準備したゴルフクラブの仕様が全て同一となるように統一した。
【００１４】
以下の表１は、スコアライン角度のみを変更した６本のゴルフクラブを、被験者毎にアドレスさせ、そのときのフェース部分の見え方を評価した測定結果である。なお、各ゴルフクラブは、後述するエッジ７の頂部Ａをフェース中央位置Ｂに一致させたものである。
【００１５】
【表１】
2004049802.tif 000003
この結果から見られるように、スコアライン角度が３．０度と小さい場合は、全ての被験者はフックフェースに見えると評価したが、スコアライン角度を大きく設定するに連れ、概ねストレートに見えると評価する人数が増加するようになり、７．０度に設定した時点で、概ねストレートに見えると評価した人数がフックフェースに見えると評価した人数を上回り、所定の効果が得られるようになった。
【００１６】
すなわち、大型ヘッドにおいて、フックフェース１．５度以上になると、アドレス時に違和感が生じるが、この違和感は、フェースに形成されるスコアライン角度を７度以上に設定することで、ある程度解消できるようになる。この場合、スコアライン角度を大きく設定することで、好ましい評価結果が得られたが、現実的には、余りスコアライン角度を大きく設定し過ぎると、スコアライン５と、フェース１ａとトップ１ｂとの間の稜線（エッジ７）が、捩じれて見えるようになり、見た目上のバランスが悪化することから、スコアライン角度は、１３度以下に設定しておくことが好ましい。
【００１７】
また、アドレスした際、上記したエッジ７についても、フェースの見え方に影響を与え、その形成の仕方によっては、フックフェースをストレートに見えるようにすることが可能である。具体的には、図２、図３で示すように、エッジ７の頂部Ａ（所定のライ角でアドレスした際に、設置面Ｐから最も高い位置）を、フェース中央位置Ｂ（フェース１ａのトウ・ヒール方向で最大の幅位置をＣ，Ｄとした場合、その中点Ｅから設置面Ｐに対して下ろした垂線とエッジ７の交わる位置）から所定距離Ｌだけトウ側となるように形成することで、アドレスした際のフックフェースに見えるという違和感を解消することが可能である。
【００１８】
上記した表１に示す測定結果は、エッジ７の頂部Ａをフェース中央位置Ｂに一致させたゴルフクラブヘッドであったが、エッジ７の頂部Ａをフェース中央位置Ｂから所定距離Ｌだけトウ側にしたゴルフクラブについて、同様に行なった測定結果を以下の表２に示す。なお、表２（ａ）におけるゴルフクラブは、Ｌを５ｍｍに設定したものを示しており、表２（ｂ）におけるゴルフクラブは、Ｌを１０ｍｍに設定したものを示している。
【００１９】
【表２】
2004049802.tif 000004
この結果から見られるように、いずれの場合でも、表１のエッジ７の頂部Ａをフェース中央位置Ｂに一致させた場合に比べ、スコアライン角度が７．０度以上になると、概ねストレートに見えると評価する人数がフックフェースに見えると評価した人数を上回り、特に、Ｌを１０ｍｍとした場合では、５ｍｍとした場合よりも、さらに概ねストレートに見えると評価する人数が増加し、好ましい結果が得られた。すなわち、上記したエッジ７の頂部位置を、フェース中央位置からトウ側となるようにヘッドを形成することで、アドレス時の違和感を更に解消することが可能なゴルフクラブヘッドが得られるようになる。
【００２０】
実際には、上記したように定義されるＬは、５ｍｍ以下となるように設定しても良いが、５ｍｍ以上となるように設定することで、見かけ上、好ましい結果が得られ、１０ｍｍ以上に設定することで、より好ましい結果が得られるようになった。
【００２１】
なお、上記したエッジ７は、原則として、ヘッドのフェース１ａとトップ１ｂが同色である場合、その稜線（両者の間にＲが形成されている場合、断面視でＲの中心位置）によって特定される。ただし、フェース１ａとトップ１ｂとの間で色彩が相違しており、実際の稜線と色彩の境界部分が異なっているような場合、その見え方が重要な要素になることから、エッジ７は、色彩の境界部分によって特定される。また、上記したように定義されるエッジ７の頂部Ａ（所定のライ角でアドレスした際に、設置面Ｐから最も高い位置）がトウ・ヒール方向に亘って所定の長さを有しているような場合、頂部Ａの位置は、その幅の中央位置によって特定される。
【００２２】
以上、本発明の実施形態について説明したが、本発明に係るゴルフクラブヘッドは、上記のフェース角、容積、スコアライン角度、頂部以外の構成については限定されることはなく、適宜変形することが可能である。この場合、アドレスした際にフェース部分が目視し易いように構成されたものが好ましく、例えば、ロフトを１１度以上、スコアラインの色を白、赤、金等の目視し易いような色、スコアライン同士の幅を６ｍｍ以下、各スコラインの幅を０．７ｍｍ以上にする等、適宜変形することが可能である。
【００２３】
【発明の効果】
本発明によれば、容積が３２０ｃｃ以上で、フェース角がフック１．５度以上のゴルフクラブヘッドにおいて、構えた際に違和感がなく、普段行なっているスタイルで打球が行なえるゴルフクラブヘッドが得られる。
【図面の簡単な説明】
【図１】ゴルフクラブヘッドをアドレスした状態で見た図であり、フェース角を説明する図。
【図２】ゴルフクラブヘッドの正面図であり、スコアライン角度を説明する図。
【図３】図２に示すゴルフクラブヘッドをアドレスした状態で示す図。
【符号の説明】
１　ゴルフクラブヘッド
１ａ　フェース
１ｂ　トップ
３　シャフト
５　スコアライン
７　エッジ（稜線）
【図１】
2004049802.tif 000005
【図２】
2004049802.tif 000006
【図３】
2004049802.tif 000007